(57)【特許請求の範囲】
【請求項１】
前面にスピーカを配置させたスピーカボックスと、
前記スピーカボックスと一体的に形成され又は前記スピーカボックスに組み付けられて、一端にて前記スピーカボックスの外部に開口し、かつ他端にて前記スピーカボックス内に開口したバスレフポートと、
前記スピーカボックス内に配置され、外部からの音響信号を前記スピーカに導く電気回路装置とを備えたスピーカ装置において、
前記スピーカボックス内に配置され、前記スピーカに対向する側を開口させて、前記電気回路装置と前記バスレフポートの他端側とを隔離する防滴壁を設けたことを特徴とするスピーカ装置。
【請求項２】
請求項１に記載したスピーカ装置において、
前記電気回路装置は、前記スピーカボックス内にて前記スピーカの後方に配置されており、
前記防滴壁は、前記スピーカボックス内にて前記スピーカの後方に配置され、前記スピーカの後方に空間を形成した状態で、前記電気回路装置と前記バスレフポートの他端側とを隔離するスピーカ装置。
【請求項３】
前記防滴壁は、前記スピーカに対向する前記スピーカボックスの内面から立ち上げた壁である請求項１又は２に記載したスピーカ装置。
【請求項４】
請求項１乃至３のうちのいずれか一つに記載したスピーカ装置において、
前記防滴壁の前記スピーカ側の端面は、前記バスレフポートの他端よりも前記スピーカ側に位置するスピーカ装置。
【請求項５】
請求項１乃至４のうちのいずれか一つに記載したスピーカ装置において、
前記防滴壁は、前記スピーカボックスの内側面から延設させた一対の側壁部と、前記一対の側壁部の端部を連結する連結壁部とを有し、前記一対の側壁部と前記連結壁部とによって囲まれた空間を形成し、前記空間内に前記電気回路装置を収容するようにしたスピーカ装置。
【請求項６】
請求項１乃至５のうちのいずれか一つに記載したスピーカ装置において、
前記スピーカボックスを、内部に空間を形成したキャビネットと、前記キャビネットの前面に組み付けられるとともに前記スピーカを組み付けたバッフル板とで構成し、
前記防滴壁を前記キャビネットと一体成型したスピーカ装置。
【請求項７】
前面にスピーカを配置させ、かつ
バスレフポートを一端にて外部に開口するとともに他端にて内部に開口するように配置させてなり、
外部からの音響信号を前記スピーカに導く電気回路装置を配置させるための空間を形成したスピーカボックスにおいて、
前記スピーカに対向する側を開口させて、前記電気回路装置を配置させるための空間と前記バスレフポートの他端側とを隔離する防滴壁を設けたことを特徴とするスピーカボックス。
【請求項８】
請求項７に記載したスピーカボックスにおいて、
前記電気回路装置を前記スピーカの後方に配置させるための空間を形成しており、
前記防滴壁は、前記スピーカの後方に配置され、前記スピーカの後方に空間を形成した状態で、前記電気回路装置を配置させるための空間と前記バスレフポートの他端側とを隔離するスピーカボックス。
【発明の詳細な説明】
【技術分野】
【０００１】
本発明は、水滴が発生する場所での使用に好適なスピーカ装置及びスピーカ装置を構成するためのスピーカボックスに関する。
【背景技術】
【０００２】
従来から、屋外又は施設内に配置されるスピーカ装置においては、長距離伝送でのロスを防ぐために、一定電圧システム（Ｃｏｎｓｔａｎｔ  Ｖｏｌｔａｇｅ  Ｓｙｓｔｅｍ）が用いられることが多い。この一定電圧システムにおいては、図５に示すように、音響信号を増幅する増幅器１を備え、増幅器１の出力に複数のスピーカ装置２を並列に接続し、電圧振幅の大きな音響信号が複数のスピーカ装置２に供給されるようになっている。例えば、１００Ｖの振幅を有する音響信号が複数のスピーカ装置２に供給される。複数のスピーカ装置２は、ステップ・ダウン・トランス２ａをそれぞれ備え、入力された音響信号をステップ・ダウン・トランス２ａで通常のスピーカ（例えば、４Ω又は８Ωのスピーカ）用の音響信号に変換して、複数のスピーカ２ｂにそれぞれ供給する。
【０００３】
また、この種のスピーカ装置においては、下記特許文献１に示されるように、スピーカボックス内に、低音域の音響特性を良好にするためのバスレフポートが設けられている。このバスレフポートは、通常、円筒状に構成され、その一端はスピーカボックス外に開口するとともに、その他端はスピーカボックス内に開口している。
【先行技術文献】
【特許文献】
【０００４】
【特許文献１】特許第４５６０７９２号公報
【発明の概要】
【０００５】
しかしながら、前記バスレフポートを有する従来のスピーカ装置においては、スピーカ装置を屋外に配設した場合、雨天時には、バスレフポートを介して雨滴（水滴）がスピーカボックスの外部から内部に侵入することがある。この内部への雨滴の侵入は、特に風の強い日に激しい。また、室内に配設したスピーカ装置においても、シャワー、水道などの水滴が発生する場所では、シャワー水、水道水などによる水滴がスピーカボックス内にバスレフポートを介して侵入することがある。一方、スピーカボックス内に収容され、前記ステップ・ダウン・トランス２ａを含む電気回路装置には、増幅器１からの大振幅すなわち高電圧の音響信号が供給されている。このため、前記侵入した水滴により、電気回路装置がショートしたり、前記ショートによって電気回路装置が故障したりするという問題があった。
【０００６】
本発明は、上記問題に対処するためになされたもので、その目的は、バスレフポートを備えたスピーカ装置において、屋外で使用したり、水滴が発生する屋内で使用したりしても、バスレフポートを介して侵入する水滴により、電気回路装置がショートしたり、前記ショートによって電気回路装置が故障したりすることがないようにしたスピーカ装置を提供することにある。なお、下記本発明の各構成要件の記載においては、本発明の理解を容易にするために、後述する実施形態の対応箇所の符号を括弧内に記載しているが、本発明の各構成要件は、この実施形態の符号によって示された対応箇所の構成に限定解釈されるべきものではない。
【０００７】
上記目的を達成するために、本発明の構成上の特徴は、前面にスピーカ（５１，５２）を配置させたスピーカボックス（ＳＢ）と、スピーカボックスと一体的に形成され又はスピーカボックスに組み付けられて、一端にてスピーカボックスの外部に開口し、かつ他端にてスピーカボックス内に開口したバスレフポート（２２，２３）と、スピーカボックス内に配置され、外部からの音響信号を前記スピーカに導く電気回路装置（４０）とを備えたスピーカ装置において、スピーカボックス内に配置され、スピーカに対向する側を開口させて、電気回路装置とバスレフポートの他端側とを隔離する防滴壁（１６，７１〜７４）を設けたことにある。
【０００８】
この場合、例えば、電気回路装置は、スピーカボックス内にてスピーカの後方に配置されており、防滴壁は、スピーカボックス内にてスピーカの後方に配置され、スピーカの後方に空間を形成した状態で、電気回路装置とバスレフポートの他端側とを隔離するとよい。また、防滴壁は、例えば、スピーカに対向するスピーカボックスの内面から立ち上げた壁であるとよい。また、防滴壁のスピーカ側の端面は、バスレフポートの他端よりもスピーカ側に位置するとよい。さらに、防滴壁は、スピーカボックスの内側面から延設させた一対の側壁部（１６ａ，１６ｂ）と、一対の側壁部の端部を連結する連結壁部（１６ｃ）とを有し、一対の側壁部と連結壁部とによって囲まれた空間を形成し、前記空間内に電気回路装置を収容するようにするとよい。
【０００９】
上記のように構成したスピーカ装置においては、雨天時であり、特に風が強い場合には、雨滴が、バスレフポートからスピーカボックス内に侵入することがある。また、室内に配設したスピーカ装置においても、シャワー、水道などの水滴が発生する場所では、水滴がスピーカボックス内にバスレフポートを介して侵入することがある。このような場合でも、電気回路装置は、防滴壁によりバスレフポートの他端とは隔離された空間に配置されており、防滴壁は水滴の前記空間内への侵入を防ぐ。したがって、本発明によれば、水滴が電気回路装置に達することが防止され、電気回路装置の一部がショートしたり、前記ショートによる電気回路装置の故障の発生が防止される。また、防滴壁が、スピーカボックス内にてスピーカの後方に配置され、スピーカの後方に空間を形成するようにすれば、スピーカボックス内の共振周波数を低く保つことができ、スピーカボックス内の音響特性、特に低音域の音響特性を良好に保つことができる。
【００１０】
また、本発明の他の特徴は、スピーカボックスを、内部に空間を形成したキャビネット（１０）と、キャビネットの前面に組み付けられるとともにスピーカを組み付けたバッフル板（２０）とで構成し、防滴壁を前記キャビネットと一体成型したことにある。これによれば、防滴壁をスピーカボックス内に簡単に設けることができる。
【００１１】
さらに、本発明の他の特徴は、前面にスピーカを配置させ、かつバスレフポートを一端にて外部に開口するとともに他端にて内部に開口するように配置させてなり、外部からの音響信号をスピーカに導く電気回路装置をスピーカの後方に配置させるための空間を形成したスピーカボックスにおいて、スピーカに対向する側を開口させて、電気回路装置を配置させるための空間とバスレフポートの他端側とを隔離する防滴壁を設けたことにある。この場合、例えば、スピーカボックスは、電気回路装置をスピーカの後方に配置させるための空間を形成しており、防滴壁は、スピーカの後方に配置され、スピーカの後方に空間を形成した状態で、電気回路装置を配置させるための空間とバスレフポートの他端側とを隔離するとよい。
【００１２】
この本発明の他の特徴は、電気回路装置を組み込む前のスピーカ装置を構成するスピーカボックスに適用したものであるが、防滴壁は、スピーカに対向する側を開口させて、電気回路装置を配置させるための空間とバスレフポートの他端側とを隔離するものである。したがって、スピーカボックスに電気回路装置を組み込んだ状態では、上記本発明の特徴の場合と同様に、水滴による電気回路装置の一部のショート及び前記ショートによる電気回路装置の故障発生の防止が期待される。また、防滴壁は、スピーカの後方に配置され、スピーカの後方に空間を形成するようにすれば、スピーカボックス内の音響特性、特に低音域の音響特性を良好に保つことができる。
【図面の簡単な説明】
【００１３】
【図１】本発明の一実施形態に係るスピーカ装置の正面図である。
【図２】図１の２−２線に沿って見たスピーカ装置の縦断面図である。
【図３】図１の３−３線に沿って見たスピーカ装置の横断面図である。
【図４】（Ａ）はスピーカ装置を垂直な壁面に取り付けた概略図であり、（Ｂ）はスピーカ装置を水平な天井面に取付けた概略図である。
【図５】複数のスピーカ装置に音響信号を供給する一定電圧システムの概略ブロック図である。
【図６】（Ａ）は第１変形例に係る防滴壁を備えたスピーカ装置の概略正面図であり、（Ｂ）は前記スピーカ装置の概略側面図であり、（Ｃ）は前記スピーカ装置の概略平面図である。
【図７】（Ａ）は第２変形例に係る防滴壁を備えたスピーカ装置の概略正面図であり、（Ｂ）は前記スピーカ装置の概略側面図であり、（Ｃ）は前記スピーカ装置の概略平面図である。
【図８】（Ａ）は第３変形例に係る防滴壁を備えたスピーカ装置の概略正面図であり、（Ｂ）は前記スピーカ装置の概略側面図であり、（Ｃ）は前記スピーカ装置の概略平面図である。
【発明を実施するための形態】
【００１４】
以下、本発明の一実施形態に係るスピーカ装置について説明する。図１は、スピーカ装置の正面図である。図２は、図１の２−２線に沿って見たスピーカ装置の縦断面図である。図３は、図１の３−３線に沿って見たスピーカ装置の横断面図である。
【００１５】
スピーカ装置は、キャビネット１０及びバッフル板２０からなり、内部に略四角錐台状の空間を有するスピーカボックスＳＢを備えている。キャビネット１０は、上側部１１（図２にて上側の部分）、下側部１２（図２にて下側の部分）、左側部１３（図３にて左側の部分）、右側部１４（図３にて右側の部分）、及び底面部１５（図２にて右側の部分であり、かつ図３にて上側の部分）からなり、合成樹脂により一体成型されている。上側部１１及び下側部１２は、正面側（図２にて左側かつ図３にて下側）にて幅広に形成され、裏面側（図２にて右側かつ図３にて上側）に向かって幅狭となる台形状にそれぞれ形成されている。左側部１３及び右側部１４も、正面側にて幅広に形成され、裏面側に向かって幅狭となる台形状にそれぞれ形成されている。これにより、上側部１１、下側部１２、左側部１３及び右側部１４によって形成される正面側の開口部は長方形状であり、キャビネット１０は正面側から裏面側に向かうに従って断面積が徐々に小さくなる四角錐台状の空間を形成する。そして、底面部１５は、前記正面側の開口部よりも面積の小さな長方形状に形成され、キャビネット１０の裏面側を閉止している。
【００１６】
キャビネット１０の裏面側に相当する底面部１５の一部には、４つの側壁部１５ａ，１５ｂ，１５ｃ，１５ｄ（図２に側壁部１５ａ，１５ｃのみを図示）及び底壁部１５ｅにより囲まれて、キャビネット１０の正面側に向かう直方体状の凹部が設けられている。なお、これらの側壁部１５ａ，１５ｂ，１５ｃ，１５ｄ及び底壁部１５ｅは、底面部１５の前記凹部以外の他の部分と一体成型されており、上側部１１、下側部１２、左側部１３及び右側部１４と一体成型された底面部１５を構成する。底壁部１５ｅの中央部分には、方形状の貫通孔１５ｅ１が形成されている。
【００１７】
底壁部１５ｅには、後述する接続端子４７を取り付けるための支持プレート３１が組み付けられるようになっている。支持プレート３１は、貫通孔１５ｅと同形状で貫通孔１５ｅより僅かに小さな方形状の厚い部分３１ａと、前記厚い部分３１ａの周囲に設けられて貫通孔１５ｅより大きな方形状の薄い部分３１ｂとを合成樹脂により一体成型したプレートである。この支持プレート３１は、厚い部分３１ａを底壁部１５ｅの貫通孔１５ｅ１にキャビネット１０の裏面側から正面側に向けて押し込まれて、ねじ３２により底壁部１５ｅに固定される。なお、支持プレート３１を底壁部１５ｅに固定する方法は、ねじ３２に限らず、ボルト、ロックピン、接着など他の方法を用いてもよい。また、支持プレート３１には、接続端子４７に配線するための貫通孔３１ｃと、後述するインピーダンスセレクタ４３の操作子を突出させるための貫通孔３１ｄとが設けられている。
【００１８】
また、底面部１５に設けた凹部には、防水カバー３３が組み付けられるようになっている。防水カバー３３は、前記凹部と同じ方形状であって前記凹部よりも大きなプレート部３３ａと、内部に直方体状の空間を形成する方形状の脚部３３ｂとを一体成型したものである。脚部３３ｂの先端面にはクッション部材が添着されていて、防水カバー３３を底面部１５に組み付けた状態では、支持プレート３１の上面にクッション部材が密着して防水性が良好に保たれるようになっている。この防水カバー３３は、左右両側位置にて、ねじ３４により底面部１５に固定される。また、接続端子４７に配線するために、プレート部３３ａには貫通孔３３ｃが設けられているとともに、脚部３３ｂにも貫通孔３３ｄが設けられている。
【００１９】
底面部１５の凹部近傍には、底面部１５と一体成型された複数のボス１５ｆが底面部１５の内側面からキャビネット１０の正面側に向けて延設されている。複数のボス１５ｆの先端面には、電気配線を施した電気回路基板４１がねじ３５により固定されている。
【００２０】
また、キャビネット１０の内部には、上側部１１、下側部１２、左側部１３、右側部１４及び底面部１５と一体成型された防滴壁１６が設けられている。防滴壁１６は、一対の側壁部１６ａ，１６ｂと、側壁部１６ａ，１６ｂの一端部（図１及び図２の下側端部）を連結する連結壁部１６ｃとからなり、キャビネット１０の正面側から見てＵ字状に形成されている。この防滴壁１６は、側壁部１６ａ，１６ｂ及び連結壁部１６ｃの裏面側にて底面部１５の内面に接続されて、底面部１５の内面から正面側に向けて垂直に均一高さで立ち上げられている。側壁部１６ａ，１６ｂの連結壁部１６ｃと反対側の端部（図１及び図２の上側端部）は、上側部１１の内面に接続されている。言い換えれば、側壁部１６ａ，１６ｂは、上側部１１の内面から図１及び図２の下方に互いに平行に延設されるとともに、下端側にて連結壁部１６ｃによって連結され、側壁部１６ａ，１６ｂ及び連結壁部１６ｃの裏面側は底面部１５の内面に接続されている。このように構成した防滴壁１６は、キャビネット１０内にて、キャビネット１０の正面側にて開口し、かつ側壁部１６ａ，１６ｂ及び連結壁部１６ｃによって囲まれた断面Ｕ字状の内部空間を形成している。
【００２１】
バッフル板２０は、正面プレート２１と２本のバスレフポート２２、２３とを合成樹脂により一体成型して構成されている。正面プレート２１は、長方形状のプレートにより構成され、上側部１１、下側部１２、左側部１３及び右側部１４の正面側の先端面に固定される。この固定においては、上側部１１、下側部１２、左側部１３及び右側部１４とそれぞれ一体成型された複数のボス（図２にボス１１ａ及びボス１２ａのみ表示）が、上側部１１、下側部１２、左側部１３及び右側部１４の内側面の適宜箇所からキャビネット１０の正面側に向けて延設されている。そして、正面プレート２１は、ねじ３６により、上側部１１、下側部１２、左側部１３及び右側部１４のそれぞれに固定されている。
【００２２】
正面プレート２１には、円形の貫通孔２１ａ，２１ｂが設けられている。貫通孔２１ａには、スピーカを構成するツィーターユニット５１が放音側をキャビネット１０の正面側にして正面側から挿入されて、ねじ３７により正面プレート２１に固定されている。貫通孔２１ｂには、スピーカを構成するウーファーユニット５２が放音側をキャビネット１０の正面側にして正面側から挿入されて、ねじ３８により正面プレート２１に固定されている。また、正面プレート２１には、その４隅に水抜き穴２１ｃが設けられている。
【００２３】
バスレフポート２２，２３は、それぞれ筒状、例えば円筒状に形成されて、ウーファーユニット５２の下方位置にて、キャビネット１０の正面側から裏面側に向けて延設されている。バスレフポート２２，２３は、それぞれ、正面プレート２１側にて外部に開口し、かつ正面プレート２１と反対側にてスピーカボックスＳＢ内に開口している。バスレフポート２２，２３のスピーカボックスＳＢ内の開口端は、防滴壁１６の正面側の端面よりも裏面側に位置している。言い換えれば、防滴壁１６の底面部１５から正面側へ向けた立ち上がり高さは、バスレフポート２２，２３のスピーカボックスＳＢ内の開口端と底面部１５との距離よりも大きく設定されている。なお、これらのバスレフポート２２，２３は、スピーカボックスＳＢ内の共振周波数を下げる機能を有し、スピーカボックスＳＢの音響特性、特に低音域の音響特性を良好にするためのものである。
【００２４】
次に、スピーカボックスＳＢ内に組み込まれた電気回路装置４０について説明する。電気回路装置４０は、前述した電気回路基板４１に加えて、ステップ・ダウン・トランス４２、インピーダンスセレクタ４３、クロスオーバーネットワーク４４、コネクタ４５，４６及び接続端子４７からなる。ステップ・ダウン・トランス４２は、ねじ３９により、底面部１５に固定されている。インピーダンスセレクタ４３、クロスオーバーネットワーク４４及びコネクタ４５，４６は、電気回路基板４１上に配置されている。接続端子４７は、支持プレート３１上に配置されている。
【００２５】
ステップ・ダウン・トランス４２は、外部からの音響信号を入力する高インピーダンスの一次側コイルと、ツィーターユニット５１及びウーファーユニット５２に音響信号を出力する低インピーダンス（ツィーターユニット５１及びウーファーユニット５２にマッチしたインピーダンス）の２次側コイルからなり、入力した音響信号の電圧振幅を減圧して出力する。インピーダンスセレクタ４３は、ステップ・ダウン・トランス４２の複数のタップのいずれに外部からの音響信号を入力するかを切換える操作子であり、操作子の先端部は支持プレート３１に設けた貫通孔３１ｄを介して底面部１５に設けた前記凹部に突出しており、防水カバー３３を取り外した状態でユーザが切換え操作できるようになっている。
【００２６】
クロスオーバーネットワーク４４は、ステップ・ダウン・トランス４２の２次側の出力信号を周波数分離して、ツィーターユニット５１及びウーファーユニット５２に出力するための音響信号を生成して出力する。コネクタ４５は、電気回路基板４１とステップ・ダウン・トランス４２の間で信号を伝送する接続線Ｌ１の一端を接続するためのものである。コネクタ４６は、接続端子４７から電気回路基板４１に信号を伝送する接続線Ｌ２の一端を接続するためのものである。接続線Ｌ２は支持プレート３１に設けた貫通孔３１ｃを貫通し、接続線Ｌ２の他端は接続端子４７に接続されている。接続端子４７には、外部からの音響信号が接続線Ｌ３を介して入力されるようになっている。接続線Ｌ３は、防水カバー３３に設けた貫通孔３３ｃ，３３ｄを介して外部に引き出される。また、電気回路基板４１とツィーターユニット５１とは接続線Ｌ４を介して接続されており、電気回路基板４１とウーファーユニット５２とは接続線Ｌ５を介して接続されている。
【００２７】
このように構成したスピーカ装置においては、図４（Ａ）及び図４（Ｂ）に示すように、前記説明では省略したブラケットＢＬが、スピーカボックスＳＢの底面部１５の外側面に固定されている。ブラケットＢＬは、各種施設の建造物にスピーカボックスＳＢを固定するための固定機構と、スピーカボックスＳＢの角度を変更する回転機構とを備えている。図４（Ａ）は壁６１にスピーカボックスＳＢを固定した例を示し、図４（Ｂ）は天井６２にスピーカボックスＳＢを固定した例を示している。
【００２８】
このように構成したスピーカ装置においては、ねじ３４を緩めて防水カバー３３をスピーカボックスＳＢの底面部１５から取り外して、外部からの音響信号を伝送する接続線Ｌ３を接続端子４７に接続し、インピーダンスセレクタ４３の操作子を回転させて、ステップ・ダウン・トランス４２における外部からの音響信号を入力する１次側コイルのタップを選択切換えする。その後、防水カバー３３をスピーカボックスＳＢの底面部１５に組み付けて、ねじ３４を締めて固定する。そして、ブラケットＢＬを用いて、図４（Ａ）及び図４（Ｂ）に示すように、スピーカボックスＳＢを壁６１、天井６２などに固定する。
【００２９】
このようにスピーカ装置を建造物にセットした状態で、接続線Ｌ３を介して外部からスピーカ装置に音響信号を供給すると、外部からの音響信号は、接続端子４７、接続線Ｌ２、コネクタ４６、電気回路基板４１上の配線、インピーダンスセレクタ４３、電気回路基板４１上の配線、コネクタ４５及び接続線Ｌ１を介して、ステップ・ダウン・トランス４２の１次コイルに供給される。１次コイルに供給された音響信号は、その電圧振幅が減圧されてステップ・ダウン・トランス４２の２次コイルから出力され、接続線Ｌ１、コネクタ４５及び電気回路基板４１上の配線を介してクロスオーバーネットワーク４４に供給される。クロスオーバーネットワーク４４は、供給された音響信号を周波数分離し、周波数分離された音響信号を、電気回路基板４１上の配線及び接続線Ｌ４，Ｌ５を介してツィーターユニット５１及びウーファーユニット５２にそれぞれ供給する。ツィーターユニット５１及びウーファーユニット５２は、供給された音響信号をそれぞれ放音する。
【００３０】
この場合、バスレフポート２２は、スピーカボックスＳＢ内の音響特性、特にウーファーユニット５２による低音域の音響信号波の特性を良好に保つ。また、防滴壁１６は、ウーファーユニット５２に対向する側を開口させていて、スピーカボックスＳＢ内の音響空間を狭めることなく広く保ち、スピーカボックスＳＢ内の共振周波数を低く保つので、スピーカボックスＳＢ内の音響特性、特に低音域の音響特性を良好に保つことができる。
【００３１】
一方、雨天時、特に風の強い雨天時には、屋外に配置したスピーカ装置においては、雨滴（水滴）がスピーカボックスＳＢ内にバスレフポート２２，２３を介して侵入することがある。また、室内に配置したスピーカ装置においても、シャワー、水道などの水滴が発生する場所では、シャワー水、水道水などによる水滴がスピーカボックスＳＢ内にバスレフポート２２，２３を介して侵入することがある。このような場合、電気回路装置４０は、防滴壁１６により囲まれた空間に配置されており、すなわち防滴壁１６によりバスレフポート２２，２３の他端とは隔離された空間に配置されており、防滴壁１６は、図４（Ａ）及び図４（Ｂ）に示すように、水滴（雨滴）の前記空間内への侵入を防ぐ。特に、防滴壁１６の正面側の開口端は、バスレフポート２２，２３のスピーカボックスＳＢ内の開口面よりも正面側に位置しており、防滴壁１６は、水滴の前記空間内への侵入を確実に防ぐ。その結果、水滴が電気回路装置４０に達することが防がれ、電気回路装置４０の一部のショート、及び前記ショートによる電気回路装置４０の故障の発生が防止される。
【００３２】
また、スピーカボックスＳＢ内に侵入した水滴の量があるレベルまで達すると、水滴によってスピーカボックスＳＢ内に蓄積された水が水抜き穴２１ｃから外部に放出される。一方、このような機能をもつ防滴壁１６は、キャビネット１０の上側部１１、下側部１２、左側部１３、右側部１４及び底面部１５と一体成型されているので、防滴壁１６をスピーカボックスＳＢ内に簡単に設けることができる。さらに、この防滴壁１６は、上側部１１、下側部１２、左側部１３、右側部１４及び底面部１５からなるキャビネット１０の補強部材としても機能する。
【００３３】
さらに、本発明の実施にあたっては、上記実施形態に限定されるものではなく、本発明の目的を逸脱しない限りにおいて種々の変更が可能である。
【００３４】
上記実施形態においては、防滴壁１６を、一対の側壁部１６ａ，１６ｂ及び連結壁部１６ｃとからなって、キャビネット１０の正面側から見てＵ字状に形成するようにした。しかし、この防滴壁１６は、スピーカボックスＳＢ内の音響特性を良好に保つとともに、バスレフポート２２，２３から電気回路装置４０への水滴の侵入を防止する機能を有していればよいので、上記実施形態の防滴壁１６を変形した種々の防滴壁を採用することができる。次に、前記種々の変形例に係る防滴壁について、図面を用いて説明する。
【００３５】
図６（Ａ）は第1変形例に係る防滴壁７１を備えたスピーカ装置の概略正面図であり、図６（Ｂ）は前記スピーカ装置の概略側面図であり、図６（Ｃ）は前記スピーカ装置の概略平面図である。なお、図６（Ａ）〜（Ｃ）においては、スピーカボックスＳＢと電気回路装置４０とを２点鎖線で示している。この第１変形例に係る防滴壁７１は、縦断面形状を下側に張り出した円弧状（又は楕円弧状）に形成されるとともに、所定の厚さで前後方向に延設されており、その後端面にて底面部１５に接続されるように、上側部１１、下側部１２、左側部１３、右側部１４及び底面部１５と一体成型されている。
【００３６】
この防滴壁７１の下端はバスレフポート２２，２３の上端よりも若干高い位置にあり、その上端は電気回路装置４０の下端よりも若干高い位置にあり、その左右両側端はバスレフポート２２，２３の左右両側端近傍に位置する。また、防滴壁７１の前端は、バスレフポート２２，２３の裏面側の開口端よりも正面側であって、電気回路装置４０の前端よりも若干量だけ正面側に位置する。この第1変形例によっても、スピーカボックスＳＢ内の音響特性が良好に保たれるとともに、バスレフポート２２，２３からの水滴が電気回路装置４０へ侵入しなくなる。
【００３７】
図７（Ａ）は第２変形例に係る防滴壁７２を備えたスピーカ装置の概略正面図であり、図７（Ｂ）は前記スピーカ装置の概略側面図であり、図７（Ｃ）は前記スピーカ装置の概略平面図である。なお、図７（Ａ）〜（Ｃ）においても、スピーカボックスＳＢと電気回路装置４０とを２点鎖線で示している。この第２変形例に係る防滴壁７２は、方形状の平板の前端中央部を方形状に切り欠いて、後部に方形状の基部７２ａを有するとともに、左右両端部にて前方に張り出した一対の凸部７２ｂ、７２ｂを備え、基部７２ａの後端面にて底面部１５に接続されるように、上側部１１、下側部１２、左側部１３、右側部１４及び底面部１５と一体成型されている。
【００３８】
この防滴壁７２はバスレフポート２２，２３の上端と電気回路装置４０の下端との間の高さに位置し、基部７２ａの前端は、バスレフポート２２，２３の裏面側の開口端よりも正面側であって、電気回路装置４０の前端よりも若干量だけ正面側に位置し、凸部７２ｂ，７２ｂの前端はバッフル板２０よりも若干後方に位置する。また、防滴壁７２の左右両側端はバスレフポート２２，２３の左右両側端近傍に位置する。なお、防滴壁７２の左右両側端と左側部１３及び右側側部１４との間には隙間がある。この第２変形例によっても、スピーカボックスＳＢ内の音響特性が良好に保たれるとともに、バスレフポート２２，２３からの水滴が電気回路装置４０へ侵入しなくなる。
【００３９】
なお、前記第２変形例において、防滴壁７２の左右両側端を左側部１３及び右側側部１４に接続するようにしてもよい。また、防滴壁７２を単に方形状に形成、すなわち凸部７２ｂ，７２ｂをなくして、基部７２ａのみにより構成してよい。
【００４０】
図８（Ａ）は第３変形例に係る一対の防滴壁７３，７４を備えたスピーカ装置の概略正面図であり、図８（Ｂ）は前記スピーカ装置の概略側面図であり、図８（Ｃ）は前記スピーカ装置の概略平面図である。なお、図８（Ａ）〜（Ｃ）においても、スピーカボックスＳＢと電気回路装置４０とを２点鎖線で示している。この第３変形例に係る一対の防滴壁７３，７４は、それぞれ縦断面形状を上側に張り出した円弧状（又は楕円弧状）に形成されるとともに、所定の厚さでそれぞれ前後方向に延設されており、それらの後端面にて底面部１５及び左側部１３、並びに底面部１５及び右側部１４にそれぞれ接続されるように、上側部１１、下側部１２、左側部１３、右側部１４及び底面部１５と一体成型されている。  
【００４１】
これらの防滴壁７３，７４の下端はそれぞれバスレフポート２２，２３の中心近傍の高さ位置にあり、それらの上端はそれぞれバスレフポート２２，２３の上端と電気回路装置４０の下端との中間位置にある。防滴壁７３の左右両側端はバスレフポート２２の左右両側よりも若干外側に位置し、防滴壁７３の左右両側端はバスレフポート２２の左右両側よりも若干外側に位置する。防滴壁７３，７４の前端は、バスレフポート２２，２３の裏面側の開口端よりも正面側であって、電気回路装置４０の前端よりも若干量だけ正面側に位置する。この第３変形例によっても、スピーカボックスＳＢ内の音響特性を良好に保たれるとともに、バスレフポート２２，２３からの水滴が電気回路装置４０へ侵入しなくなる。
【００４２】
なお、この第３変形例においては、図８（Ａ）に破線で示すように、防滴壁７３，７４の縦断面形状の円弧を緩やかにして、防滴壁７３，７４の内側端を外側端よりも低い位置に設定するようにしてもよい。また、図８（Ａ）に破線で示した防滴壁７３，７４の縦断面形状を直線状にして、防滴壁７３，７４をそれぞれ平板状にしてもよい。
【００４３】
また、上記実施形態では、防滴壁１６を側壁部１６ａ，１６ｂ及び連結壁部１６ｃにより縦断面形状をＵ字状に形成するようにしたが、この防滴壁１６は電気回路装置４０を囲む空間を形成すればよいので、特に縦断面形状をＵ字状に形成する必要はない。例えば、この防滴壁１６の縦断面形状を方形状とするようにしてもよい。この場合、連結壁部１６ｃを平板のプレート状に形成して、側壁部１６ａ，１６ｂを連結するようにすればよい。
また、上記実施形態においては、防滴壁１６は底面部１５の内面から正面側に向けて垂直に均一高さで立ち上げるようにしたが、特に、防滴壁１６を垂直に立ち上げる必要もなく、また均一高さで立ち上げる必要もない。
【００４４】
また、上記実施形態では、バスレフポート２２，２３を正面プレート２１と一体成型するようにした。しかし、これに代えて、バスレフポート２２，２３を正面プレート２１、すなわちバッフル板２０と別体に構成して、正面プレート２１に組み付けるようにしてもよい。また、上記実施形態では、バスレフポート２２，２３を２つ設けるようにしたが、このバスレフポート２２，２３の数は、１つであっても、３つ以上であってもよい。
【００４５】
また、上記実施形態では、正面プレート２１に設けた貫通孔２１ａ，２１ｂの形状を円形としたが、貫通孔２１ａ，２１ｂの形状を他の形状、例えば４角形状、６角形状、８角形状などの多角形状にしてもよい。また、正面プレート２１には、４隅に水抜き穴２１ｃを設けるようにしたが、この水抜き穴２１ｃは少なくとも１つあればよく、１つ乃至３つのうちのいずれかでもよい。また、水抜き穴２１ｃを５つ以上設けてもよい。
【００４６】
また、上記実施形態では、ツィーターユニット５１及びウーファーユニット５２からなる２ウェイスピーカシステムをスピーカ装置に適用した。しかし、これに代えて、フルレンジスピーカシステム、３ウェイスピーカシステム、その他のスピーカシステムをスピーカ装置に適用するようにしてもよい。
【００４７】
また、上記実施形態においては、ステップ・ダウン・トランス４２を用いて、外部からの音響信号の電圧振幅を減圧するようにした。しかし、これに代えて、電圧増幅回路、信号処理回路などの電気回路を用いて、外部からの音響信号の電圧振幅を減圧するようにしてもよい。
【００４８】
さらに、上記実施形態においては、ツィーターユニット５１及びウーファーユニット５２の前面に、着脱可能なネットを設けるようにしてもよい。また、上記実施形態においては、水抜き穴２１ｃを正面プレート２１の４隅に設けるようにしたが、この水抜き穴２１ｃは、正面プレート２１の４隅近傍であれば、細かな位置は問わない。例えば、この水抜き穴２１ｃを、前記着脱可能に設けたネットの内側に設けても、外側に設けてもよい。また、この水抜き穴２１ｃをバッフル板２０の正面プレート２１ではなく、キャビネット１０の上側部１１、下側部１２、左側部１３及び右側部１４に設けてもよい。
【符号の説明】
【００４９】
１０…キャビネット、１１…上側部、１２…下側部、１３…左側部、１４…右側部、１５…底面部、１６，７１〜７４…防滴壁、２０…バッフル板、２１…正面プレート、２２，２３…バスレフポート、３１…支持プレート、３３…防水カバー、４０…電気回路装置、４１…電気回路基板、４２…ステップ・ダウン・トランス、４３…インピーダンスセレクタ、４４…クロスオーバーネットワーク、４７…接続端子、５１…ツィーターユニット、５２…ウーファーユニット、６１…壁、６２…天井、ＢＬ…ブラケット、ＳＢ…スピーカボックス
【図１】
0005979355.tif 000002
【図２】
0005979355.tif 000003
【図３】
0005979355.tif 000004
【図４】
0005979355.tif 000005
【図５】
0005979355.tif 000006
【図６】
0005979355.tif 000007
【図７】
0005979355.tif 000008
【図８】
0005979355.tif 000009